(57)【要約】【課題】メッセージ量を省き、保護状態での高速切り換えを実現でき、そして保護スイッチングを効果的に実現することができる方法及びシステムを提供すること。【解決手段】本発明は、光回線端末が光ネットワークユニットの測距結果を迅速に更新する方法を開示した。当該方法は、光回線端末（ＯＬＴ）が取得された測距差をすべての光ネットワークユニット（ＯＮＵ）に伝送するステップと、現在のＯＮＵが取得された測距差に応じて、現在のＯＮＵ自身の測距結果を迅速に更新するステップとを含む。本発明は、光回線端末が光ネットワークユニットの測距結果を迅速に更新するシステムを更に開示した。当該システムでは、ＯＬＴにおける伝送ユニットは取得された測距差をすべてのＯＮＵに伝送することに用いられ、ＯＮＵにおける更新ユニットは取得された測距差に応じて、現在のＯＮＵ自身の測距結果を迅速に更新することに用いられる。【選択図】図３
2013500646.tif 000002
【特許請求の範囲】
【請求項１】
光回線端末が光ネットワークユニットの測距結果を迅速に更新する方法であって、当該方法は、
光回線端末（ＯＬＴ）が、取得された測距差をすべての光ネットワークユニット（ＯＮＵ）に伝送するステップと、
現在のＯＮＵが、取得された測距差に応じて、現在のＯＮＵ自身の測距結果を迅速に更新するステップと
を含むことを特徴とする光回線端末が光ネットワークユニット測距結果を迅速に更新する方法。
【請求項２】
前記測距差は、一次チャネルと二次チャネルとの間の往復遅延測距差ＲＴＤΔを含む
ことを特徴とする請求項１に記載の方法。
【請求項３】
保護スイッチングがトリガされた後、ＯＮＵが測距状態にある場合に、当該方法は、
前記ＯＬＴが、ブロードキャストメッセージの方式で前記ＲＴＤΔをすべてのＯＮＵに伝送することを更に含む
ことを特徴とする請求項２に記載の方法。
【請求項４】
一次チャネルから二次チャネルに切り換える場合に、前記ＲＴＤΔに応じて、現在のＯＮＵ自身の測距結果を迅速に更新することは、
前記ＲＴＤΔと、一次チャネルに対応する、以前の均等化遅延信号とに応じて、二次チャネルに対応する現在の均等化遅延信号を取得し、且つ均等化遅延信号を更新することを含み、
二次チャネルから一次チャネルに切り換える場合に、前記ＲＴＤΔに応じて、現在のＯＮＵ自身の測距結果を迅速に更新することは、
前記ＲＴＤΔと、二次チャネルに対応する、以前の均等化遅延信号とに応じて、一次チャネルに対応する現在の均等化遅延信号を取得し、且つ均等化遅延信号を更新することを含む
ことを特徴とする請求項３に記載の方法。
【請求項５】
ＯＮＵが通常動作状態にある場合に、当該方法は、
前記ＯＬＴが、ブロードキャストメッセージの方式で前記ＲＴＤΔをすべてのＯＮＵに伝送することを更に含む
ことを特徴とする請求項２に記載の方法。
【請求項６】
前記ＲＴＤΔに応じて、現在のＯＮＵ自身の測距結果を迅速に更新することは、
前記ＲＴＤΔと、一次チャネルに対応する、以前の均等化遅延信号とに応じて、二次チャネルに対応する現在の均等化遅延信号を予め取得して管理情報ベースを更新することと、一次チャネルから二次チャネルに切り換える保護スイッチングがトリガされた後、更新された均等化遅延信号の利用を開始することとを含み、
又は、前記ＲＴＤΔに応じて、現在のＯＮＵ自身の測距結果を迅速に更新することは、
前記ＲＴＤΔと、二次チャネルに対応する、以前の均等化遅延信号とに応じて、一次チャネルに対応する現在の均等化遅延信号を予め取得して管理情報ベースを更新することと、二次チャネルから一次チャネルに切り換える保護スイッチングがトリガされた後、更新された均等化遅延信号の利用を開始することとを含む
ことを特徴とする請求項５に記載の方法。
【請求項７】
前記ブロードキャストメッセージは、修正された測距時間（Ｒａｎｇｉｎｇ＿ｔｉｍｅ）メッセージ又は特別に定義された専用メッセージを含む
ことを特徴とする請求項３〜６のいずれか１項に記載の方法。
【請求項８】
光回線端末（ＯＬＴ）が光ネットワークユニット（ＯＮＵ）の測距結果を迅速に更新するシステムであって、当該システムは、
ＯＬＴが取得された測距差をすべてのＯＮＵに伝送することに用いられる伝送ユニットと、
現在のＯＮＵが取得された前記測距差に応じて、現在のＯＮＵ自身の測距結果を迅速に更新することに用いられる更新ユニットと
を含むことを特徴とする光回線端末が光ネットワークユニットの測距結果を迅速に更新するシステム。
【請求項９】
前記伝送ユニットは、
ＯＬＴが、取得された、一次チャネルと二次チャネルとの間の往復遅延測距差を含むＲＴＤΔをすべてのＯＮＵに伝送することに更に用いられる
ことを特徴とする請求項８に記載のシステム。
【請求項１０】
前記伝送ユニットは、
保護スイッチングがトリガされた後、ＯＮＵが測距状態にある場合に、前記ＯＬＴがブロードキャストメッセージの方式で前記ＲＴＤΔをすべてのＯＮＵに伝送することに更に用いられる
ことを特徴とする請求項９に記載のシステム。
【請求項１１】
前記更新ユニットは、
一次チャネルから二次チャネルに切り換える状態において、前記ＲＴＤΔと、一次チャネルに対応する、以前の均等化遅延信号とに応じて、二次チャネルに対応する現在の均等化遅延信号を取得し、且つ均等化遅延信号を更新することに更に用いられ、
又は、二次チャネルから一次チャネルに切り換える状態において、前記ＲＴＤΔと、二次チャネルに対応する、以前の均等化遅延信号とに応じて、一次チャネルに対応する現在の均等化遅延信号を取得し、且つ均等化遅延信号を更新することに更に用いられる
ことを特徴とする請求項１０に記載のシステム。
【請求項１２】
前記伝送ユニットは、
ＯＮＵが通常動作状態にある場合に、前記ＯＬＴがブロードキャストメッセージの方式で前記ＲＴＤΔをすべてのＯＮＵに伝送することに更に用いられる
ことを特徴とする請求項９に記載のシステム。
【請求項１３】
前記更新ユニットは、
前記ＲＴＤΔと、一次チャネルに対応する、以前の均等化遅延信号とに応じて、二次チャネルに対応する現在の均等化遅延信号を予め取得して管理情報ベースを更新すること、及び、一次チャネルから二次チャネルに切り換える保護スイッチングがトリガされた後、更新された均等化遅延信号の利用を開始することに更に用いられ、
又は、前記ＲＴＤΔと、二次チャネルに対応する、以前の均等化遅延信号とに応じて、一次チャネルに対応する現在の均等化遅延信号を予め取得して管理情報ベースを更新すること、及び、二次チャネルから一次チャネルに切り換える保護スイッチングがトリガされた後、更新された均等化遅延信号の利用を開始することに更に用いられる
ことを特徴とする請求項１２に記載のシステム。
【請求項１４】
光回線端末であって、
前記光回線端末（ＯＬＴ）は、一次チャンネルと二次チャンネルとの間の往復遅延測距差を含む測距差を取得し、且つすべての光ネットワークユニット（ＯＮＵ）に伝送することに用いられる
ことを特徴とする光回線端末。
【請求項１５】
前記ＯＬＴは、
保護スイッチングがトリガされた後、ＯＮＵが測距状態にある場合に、ブロードキャストメッセージの方式で前記ＲＴＤΔをすべてのＯＮＵに伝送すること、
又は、ＯＮＵが通常動作状態にある場合に、ブロードキャストメッセージの方式で前記ＲＴＤΔをすべてのＯＮＵに伝送することに用いられる
ことを特徴とする請求項１４に記載の光回線端末。
【請求項１６】
光ネットワークユニットであって、
前記光ネットワークユニット（ＯＮＵ）は、測距差を受信し、前記測距差に応じて、現在のＯＮＵ自身の測距結果を迅速に更新することに用いられる
ことを特徴とする光ネットワークユニット。
【請求項１７】
前記ＯＮＵは、
一次チャンネルから二次チャンネルに切り換える状態において、前記ＲＴＤΔと、一次チャンネルに対応する、以前の均等化遅延信号とに応じて、二次チャンネルに対応する現在の均等化遅延信号を取得し、且つ均等化遅延信号を更新することに用いられ、
又は、前記ＯＮＵは、
二次チャンネルから一次チャンネルに切り換える状態において、前記ＲＴＤΔと、二次チャンネルに対応する、以前の均等化遅延信号とに応じて、一次チャンネルに対応する現在の均等化遅延信号を取得し、且つ均等化遅延信号を更新することに用いられる
ことを特徴とする請求項１６に記載の光ネットワークユニット。
【請求項１８】
前記ＯＮＵは、
前記ＲＴＤΔと、一次チャンネルに対応する、以前の均等化遅延信号とに応じて、二次チャンネルに対応する現在の均等化遅延信号を予め取得して管理情報ベースを更新すること、及び、一次チャンネルから二次チャンネルに切り換える保護スイッチングがトリガされた後、更新された均等化遅延信号の利用を開始することに更に用いられ、
又は、前記ＯＮＵは、
前記ＲＴＤΔと、二次チャンネルに対応する、以前の均等化遅延信号とに応じて、一次チャンネルに対応する現在の均等化遅延信号を予め取得して管理情報ベースを更新すること、及び、二次チャンネルから一次チャンネルに切り換える保護スイッチングがトリガされた後、更新された均等化遅延信号の利用を開始することに更に用いられる
ことを特徴とする請求項１６に記載の光ネットワークユニット。
【発明の詳細な説明】
【技術分野】
【０００１】
本発明は通信分野に関し、特に、パッシブ光ネットワーク（ＰＯＮ：Ｐａｓｓｉｖｅ  Ｏｐｔｉｃａｌ  Ｎｅｔｗｏｒｋ）システムにおいて、保護状態で、光回線端末（ＯＬＴ：Ｏｐｔｉｃａｌ  Ｌｉｎｅ  Ｔｅｒｍｉｎａｌ）が光ネットワークユニット（ＯＮＵ：Ｏｐｔｉｃａｌ  Ｎｅｔｗｏｒｋ  Ｕｎｉｔ）の測距結果を迅速に更新する方法及びシステムに関する。
【背景技術】
【０００２】
広帯域アクセス技術の発展に伴って、事業者は、ユーザにより速い速度及びより高い品質のサービスを提供する光ファイバーアクセスシステム（ＯＡＮ：Ｏｐｔｉｃａｌ  Ａｃｃｅｓｓ  Ｎｅｔｗｏｒｋ）を、徐々に受け入れ、また、徐々に配備し始めてきている。ＰＯＮはポイントツーマルチポイントを用いる光ファイバーアクセス技術である。図１に示すように、ＰＯＮはＯＬＴと、ＯＮＵと、光学スプリッタが位置する光分配ネットワーク（ＯＤＮ：Ｏｐｔｉｃａｌ  Ｄｉｓｔｒｉｂｕｔｉｏｎ  Ｎｅｔｗｏｒｋ）とから構成され、且つ１つのＯＬＴはＯＤＮを介して複数のＯＮＵに同時に接続される。ここで、ＯＮＵは家庭ユーザに用いる光ネットワーク端末（ＯＮＴ：Ｏｐｔｉｃａｌ  Ｎｅｔｗｏｒｋ  Ｔｅｒｍｉｎａｌ）と、集合住宅ユーザに用いる集合住宅ユニット（ＭＤＵ：Ｍｕｌｔｉ−Ｄｗｅｌｌｉｎｇ  Ｕｎｉｔ）と、様々な商業機会及び住宅ユーザに用いる商業ユーザタイプのＯＮＵとを含む様々な形態の端末であることがある。
【０００３】
図１に示すように、実際の配置では、ＯＮＵからＯＬＴまでの距離は、ＯＮＵの実際の物理配置位置に応じて、異なっており、遠かったり、近かったりする。このような情況を考慮すると、時分割多元接続（ＴＤＭＡ：Ｔｉｍｅ  Ｄｉｖｉｓｉｏｎ  Ｍｕｌｔｉｐｌｅ  Ａｃｃｅｓｓ）技術を基礎とするＰＯＮシステムでは、ＯＬＴまでの物理的な距離が異なるＯＮＵを、論理時間シーケンスにおいてＯＬＴまでの距離が等しくなるように調整する必要がある。この調整によって、ＯＬＴが各ＯＮＵにアップリンクタイムスロットを割り当てるときの衝突が回避され、すべてのＯＮＵは、ＯＬＴによって割り当てられたタイムスロットに従ってアップリンクでデータを送信することができる。ＯＮＵをＯＬＴから同じ距離に調整する方法としては、各ＯＮＵとＯＬＴとの異なる距離に基づいて、各ＯＮＵに対応する均等化遅延信号を算出し、そして各ＯＮＵが、アップリンクでデータを送信するときに、自身に対応する均等化遅延信号に基づいて、対応する遅延を追加する方法が用いられている。これによって、アップリンクにおいて各ＯＮＵによって送信されるデータ間の衝突の回避を保証することができる。
【０００４】
現在、Ｇビットパッシブ光ネットワーク（ＧＰＯＮ）の既存の標準では、均等化遅延信号は、ＯＮＵがＯ４状態にある、即ち測距状態にある場合に、物理層オペレーション管理および保守（ＰＬＯＡＭ：Ｐｈｙｓｉｃａｌ  Ｌａｙｅｒ  Ｏｐｅｒａｔｉｏｎ  Ａｄｍｉｎｉｓｔｒａｔｉｏｎ  ａｎｄ  Ｍａｉｎｔｅｎａｎｃｅ）メッセージに属する測距時間（Ｒａｎｇｉｎｇ＿ｔｉｍｅ）メッセージを介して、ＯＬＴによって伝送される。ＯＬＴは、各ＯＮＵの距離を測定した後、当該ＯＮＵに対応する均等化遅延信号を含むＲａｎｇｉｎｇ＿ｔｉｍｅメッセージを当該ＯＮＵに３回送信し、ＯＮＵはＲａｎｇｉｎｇ＿ｔｉｍｅメッセージを受信した後、後続の対応する処理を行う。この方式は一般的な場合に動作良好であるが、基幹光ファイバー保護モードでは問題が存在する。
【０００５】
ＰＯＮ構成の応用では、一部のタイプのユーザはより高い安全性が必要とされるため、サービスチャネルが中断しないようにするために、又は二次的にはサービスチャネルが中断した後すぐ回復できるようにするために、事業者が保護メカニズムを提供することが期待される。従って、ユーザーのサービスオペレーションを搬送するＰＯＮネットワークに対して、保護と高速切り換えとが要求され、ＰＯＮ保護モードを用いる必要がある。ＰＯＮ保護モードでは、ＯＬＴと複数のＯＮＵとは１つ又は複数の光学スプリッタを介して接続される。ＯＬＴ上には１つ以上の光インターフェイスが存在し、各光インターフェイスが光学スプリッタを介して各ＯＮＵと接続されるチャネルは、保護チャネルと称される。即ち、ＯＬＴ上には１つ以上保の護チャネルが存在する。保護チャネルは、一般的に、一次チャネルと二次チャネルとに分類される。図２は、ＰＯＮ保護モードが用いられた、既存の一つの典型的な保護ネットワークアーキテクチャを示す図である。図２では、基幹光ファイバー保護モードが用いられている。図２に示すように、ＰＯＮ  ＬＴ（０）光インターフェイスに対応するチャネルが一次チャネルであり、ＰＯＮ  ＬＴ（１）光インターフェイスに対応するチャネルが二次チャネルである。
【０００６】
基幹光ファイバー保護モードが用いられる場合において、保護モードがトリガされたとき、すべてのＯＮＵはいずれも予備ＯＬＴに対応するチャネルに切り換える必要がある。今現在、ＯＮＵとの間で使用されている現用ＯＬＴと予備ＯＬＴとの物理位置の差異に基づいて、各ＯＮＵはいずれも均等化遅延信号を更新する必要があり、そしてこの更新された均等化遅延信号はＯＮＵと予備ＯＬＴとの間の物理距離に対応しなければならない。つまり、アップリンクでの衝突を引き起こさないようにするために、すべてのＯＮＵは論理的に予備ＯＬＴと同じ距離に調整された後に、通常の動作を続けることになる。
【０００７】
ＧＰＯＮ標準における既存の定義の方式を踏襲すると、ＯＬＴに接続された各ＯＮＵに対応する均等化遅延信号はＯＬＴ側において計算され、その後、ＯＬＴはＲａｎｇｉｎｇ＿ｔｉｍｅメッセージを介して、各ＯＮＵに対応する均等化遅延信号をＯＬＴに接続されたすべてのＯＮＵに通知し、且つ、均等化遅延信号伝送の信頼性を保証するために、一般的に、Ｒａｎｇｉｎｇ＿ｔｉｍｅメッセージを３回送信する必要がある。毎回のメッセージの送信には１２５μｓが必要とされるため、ＯＬＴによってサポートされるＯＮＵの数が１２８に達する場合、Ｒａｎｇｉｎｇ＿ｔｉｍｅメッセージの送信によって、各ＯＮＵに対応する均等化遅延信号を通知する時間は１２５×３×１２８μｓ＝４８ｍｓに達する。さらに、Ｏ４状態でこれらのＲａｎｇｉｎｇ＿ｔｉｍｅメッセージを送信する前に、ＯＬＴが予備ＯＬＴとＯＮＵとの間の距離を測定する時間が費やされる。従って、５０ｍｓ以内のサービス切り換えの要求を基本的に満たすことができない。このため、サービス端末では、実際の現用／予備ＯＬＴの保護スイッチングの保護効果を反映することができない。以上の説明から分かるように、基幹光ファイバー保護モード下で、上述の既存の方式を用いた場合、ＯＬＴは、各ＯＮＵに対して、一対一の通信方式によって、それぞれ該当ＯＮＵに対応する均等化遅延信号を送信する必要がある。これにより、メッセージ量が大きくなりすぎ、このため、５０ｍｓの時間内の切り換え要求を基本的に満たすことができず、結果として、保護スイッチングを効果的に実現することができない。
【発明の概要】
【発明が解決しようとする課題】
【０００８】
これに鑑みて、本発明の主な目的は、メッセージ量を節約し、保護状態での高速切り換えを実現でき、そして保護スイッチングを効果的に実現することができる、ＯＬＴがＯＮＵ測距結果を迅速に更新する方法及びシステムを提供することにある。
【課題を解決するための手段】
【０００９】
上記目的を達成するために、本発明の技術的なスキームは以下のように実現される。
光回線端末が光ネットワークユニットの測距結果を迅速に更新する方法であって、当該方法は、
光回線端末（ＯＬＴ）が、取得された測距差をすべての光ネットワークユニット（ＯＮＵ）に伝送するステップと、
現在のＯＮＵが、取得された前記測距差に応じて、現在のＯＮＵ自身の測距結果を迅速に更新するステップとを含む。
【００１０】
前記測距差は、一次チャネルと二次チャネルとの間の往復遅延測距差ＲＴＤΔを含む。
【００１１】
保護スイッチングがトリガされた後、ＯＮＵが測距状態にある場合に、当該方法は、前記ＯＬＴがブロードキャストメッセージの方式で前記ＲＴＤΔをすべてのＯＮＵに伝送することを更に含む。
【００１２】
一次チャネルから二次チャネルに切り換える場合に、前記ＲＴＤΔに応じて、現在のＯＮＵ自身の測距結果を迅速に更新することは、前記ＲＴＤΔと、一次チャネルに対応する、以前の均等化遅延信号とに応じて、二次チャネルに対応する現在の均等化遅延信号を取得し、且つ均等化遅延信号を更新することを含み、
二次チャネルから一次チャネルに切り換える場合に、前記ＲＴＤΔに応じて、現在のＯＮＵ自身の測距結果を迅速に更新することは、前記ＲＴＤΔと、二次チャネルに対応する、以前の均等化遅延信号とに応じて、一次チャネルに対応する現在の均等化遅延信号を取得し、且つ均等化遅延信号を更新することを含む。
【００１３】
ＯＮＵが通常動作状態にある場合に、当該方法は、前記ＯＬＴがブロードキャストメッセージの方式で前記ＲＴＤΔをすべてのＯＮＵに伝送することを更に含む。
【００１４】
前記ＲＴＤΔに応じて、現在のＯＮＵ自身の測距結果を迅速に更新することは、前記ＲＴＤΔと、一次チャネルに対応する、以前の均等化遅延信号とに応じて、二次チャネルに対応する現在の均等化遅延信号を予め取得して管理情報ベースを更新することと、一次チャネルから二次チャネルに切り換える保護スイッチングがトリガされた後、更新された均等化遅延信号の利用を開始することを含み、
又は、前記ＲＴＤΔに応じて現在のＯＮＵ自身の測距結果を迅速に更新することは、前記ＲＴＤΔと、二次チャネルに対応する、以前の均等化遅延信号とに応じて、一次チャネルに対応する現在の均等化遅延信号を予め取得して管理情報ベースを更新することと、二次チャネルから一次チャネルに切り換える保護スイッチングがトリガされた後、更新された均等化遅延信号の利用を開始することとを含む。
【００１５】
前記ブロードキャストメッセージは、修正された測距時間（Ｒａｎｇｉｎｇ＿ｔｉｍｅ）メッセージ又は特別に定義された専用メッセージを含む。
【００１６】
光回線端末（ＯＬＴ）が光ネットワークユニット（ＯＮＵ）の測距結果を迅速に更新するシステムであって、当該システムは
ＯＬＴが取得された測距差をすべてのＯＮＵに伝送することに用いられる伝送ユニットと、
現在のＯＮＵが取得された前記測距差に応じて、現在のＯＮＵ自身の測距結果を迅速に更新することに用いられる更新ユニットとを含む。
【００１７】
前記伝送ユニットは、ＯＬＴが取得されたＲＴＤΔをすべてのＯＮＵに伝送することに更に用いられる。ここで、前記ＲＴＤΔは、一次チャネルと二次チャネルとの間の往復遅延測距差を含む。
【００１８】
前記伝送ユニットは、保護スイッチングがトリガされた後、ＯＮＵが測距状態にある場合に、前記ＯＬＴがブロードキャストメッセージの方式で前記ＲＴＤΔをすべてのＯＮＵに伝送することに更に用いられる。
【００１９】
前記更新ユニットは、一次チャネルから二次チャネルに切り換える状態において、前記ＲＴＤΔと、一次チャネルに対応する、以前の均等化遅延信号とに応じて、二次チャネルに対応する現在の均等化遅延信号を取得し、且つ均等化遅延信号を更新することに更に用いられ、
又は、二次チャネルから一次チャネルに切り換える状態において、前記ＲＴＤΔと、二次チャネルに対応する、以前の均等化遅延信号とに応じて、一次チャネルに対応する現在の均等化遅延信号を取得し、且つ均等化遅延信号を更新することに更に用いられる。
【００２０】
前記伝送ユニットは、ＯＮＵが通常動作状態にある場合に、前記ＯＬＴがブロードキャストメッセージの方式で前記ＲＴＤΔをすべてのＯＮＵに伝送することに更に用いられる。
【００２１】
前記更新ユニットは、前記ＲＴＤΔと、一次チャネルに対応する、以前の均等化遅延信号とに応じて、二次チャネルに対応する現在の均等化遅延信号を予め取得して管理情報ベースを更新すること、一次チャネルから二次チャネルに切り換える保護スイッチングがトリガされた後、更新された均等化遅延信号の利用を開始することに更に用いられ、
又は、前記ＲＴＤΔと、二次チャネルに対応する、以前の均等化遅延信号とに応じて、一次チャネルに対応する現在の均等化遅延信号を予め取得して管理情報ベースを更新すること、二次チャネルから一次チャネルに切り換える保護スイッチングがトリガされた後、更新された均等化遅延信号の利用を開始することに更に用いられる。
【００２２】
本発明のＯＬＴは、取得された測距差をすべてのＯＮＵに伝送し、現在ＯＮＵは、取得された測距差に応じて、現在ＯＮＵ自身の測距結果の迅速更新を実現する。
【００２３】
本発明によれば、伝送される測距差が各ＯＮＵに対して同じであるため、一対全て（Ｏｎｅ−ｔｏ−ａｌｌ）の通信方式を用いてメッセージを送信することができる。これにより、メッセージ量を節約し且つメッセージ伝送プロセスを単純化し、すべてのＯＮＵが通常動作に回復する時間をミリ秒のオーダに向上させることができる。また、保護状態での高速切り換えを実現することができ、そして保護スイッチングを効果的に実現することができる。
【図面の簡単な説明】
【００２４】
【図１】既存のＰＯＮのネットワークアークテクチャを示す図である。
【図２】基幹光ファイバー保護モードが用いられた場合の保護ネットワークアーキテクチャを示す図である。
【図３】本発明に係る方法のプロセスを示すフローチャートである。
【発明を実施するための形態】
【００２５】
本発明の基本的な着想は、ＯＬＴが取得されたＲＴＤΔをすべてのＯＮＵに伝送し、ＯＮＵがＲＴＤΔに応じて、ＯＮＵの測距結果を迅速に更新する、というものである。
【００２６】
以下、図面を参照しながら技術的なスキームの実施形態を詳しく説明する。
【００２７】
図３に示すように、ＯＬＴがＯＮＵの測距結果を迅速に更新する方法は以下の２つのステップを含む。
【００２８】
ステップ１０１：  ＯＬＴが取得された測距差をすべてのＯＮＵに伝送する。
【００２９】
ここで、測距差は、一次チャネルと二次チャネルとの間の往復遅延測距差であるＲＴＤΔであってもよい。ＲＴＤΔ＝ＲＴＤprimary−ＲＴＤstandbyであり、ここで、ＲＴＤprimaryは一次チャネルの往復遅延値であり、ＲＴＤstandbyは二次チャネルの往復遅延値である。
【００３０】
ステップ１０２：  現在のＯＮＵが取得された測距差に応じて、現在のＯＮＵ自身の測距結果を迅速に更新する。
【００３１】
ここで、現在のＯＮＵは、測距差を既に取得したＯＮＵのことを指す。なお、必ずしもすべてのＯＮＵが同時に直ちに迅速更新を実行しなければならないということではなく、測距差を既に取得した現在のＯＮＵは測距差に応じて、現在のＯＮＵ自身の測距結果を迅速に更新し、他のＯＮＵは測距差を取得してから、後に、測距差に応じて各自の測距結果を迅速に更新することができる。
【００３２】
ステップ１０１〜ステップ１０２から構成される技術的なスキームでは、ステップ１０２を実行した後、測距結果の迅速な更新に基づいて、サービス切り換えの時間要求を満たすことができ、そして保護スイッチングを迅速に完了することができる。
【００３３】
ＯＮＵがＲＴＤΔを取得するタイミングが異なっているため、ＯＮＵによる測距結果の迅速な更新も異なっており、以下、これについて、２種類の場合に分けて説明する。
【００３４】
ケース１：保護スイッチングがトリガされた後、ＯＮＵが測距状態にある場合。
【００３５】
ステップ１０１では、具体的に、保護スイッチングがトリガされた後、ＯＮＵが測距状態にあるタイミングで、ＯＬＴはブロードキャストメッセージの方式でＲＴＤΔをすべてのＯＮＵに伝送する。
【００３６】
保護スイッチングが一次チャネルから二次チャネルに切り換えられる場合、ステップ１０２では、具体的に、ＲＴＤΔと、一次チャネルに対応する、以前の均等化遅延信号とに応じて、二次チャネルに対応する現在の均等化遅延信号を取得し、且つ均等化遅延信号を更新する。このときに利用される公式は、Ｅｑｄstandby＝Ｅｑｄprimary＋ＲＴＤΔであってもよい。ここで、Ｅｑｄstandbyは二次チャネルに対応する均等化遅延信号であり、Ｅｑｄprimaryは一次チャネルに対応する均等化遅延信号である。以下で述べられるＥｑｄstandby及びＥｑｄprimaryについても上記した意味と同じ意味で用いられるため、以下では、繰り返して説明はしない。
【００３７】
保護スイッチングが二次チャネルから一次チャネルに切り換えられる場合、ステップ１０２では、具体的には、ＲＴＤΔと、二次チャネルに対応する、以前の均等化遅延信号とに応じて、一次チャネルに対応する現在の均等化遅延信号を取得し、且つ均等化遅延信号を更新する。このときに利用される公式は、Ｅｑｄprimary＝Ｅｑｄstandby＋ＲＴＤΔであってもよい。
【００３８】
ケース２：保護スイッチングがトリガされておらず、ＯＮＵが通常動作状態にある場合。
【００３９】
ステップ１０１では、具体的に、故障による保護スイッチングがトリガされるときに、更新された均等化遅延信号を直接的に利用することができるように、ＯＮＵが通常動作状態にあるタイミングで、予め測定が実行される。当該タイミングに達したときに、ＯＬＴはブロードキャストメッセージの方式でＲＴＤΔをすべてのＯＮＵに伝送する。
【００４０】
ステップ１０２の具体的な処理プロセスは以下の２つのステップを含んでいてもよい。
【００４１】
ステップ１０２１ａ：  ＲＴＤΔと、一次チャネルに対応する、以前の均等化遅延信号とに応じて、二次チャネルに対応する現在の均等化遅延信号を予め取得して管理情報ベースを更新する。このときに利用される公式は、Ｅｑｄstandby＝Ｅｑｄprimary＋ＲＴＤΔであってもよい。
【００４２】
ステップ１０２２ａ：  一次チャネルから二次チャネルに切り換える保護スイッチングがトリガされた後、更新された均等化遅延信号の利用を開始する。
【００４３】
ステップ１０２の他の具体的な処理プロセスは以下の２つのステップを含んでいてもよい。
【００４４】
ステップ１０２１ｂ：  ＲＴＤΔと、二次チャネルに対応する、以前の均等化遅延信号とに応じて、一次チャネルに対応する現在の均等化遅延信号を予め取得して管理情報ベースを更新する。このときに利用される公式は、Ｅｑｄprimary＝Ｅｑｄstandby＋ＲＴＤΔであってよい。
【００４５】
ステップ１０２２ｂ：  二次チャネルから一次チャネルに切り換える保護スイッチングがトリガされた後、更新された均等化遅延信号の利用を開始する。
【００４６】
なお、以上で説明されたブロードキャストメッセージは、修正された測距時間（Ｒａｎｇｉｎｇ＿ｔｉｍｅ）メッセージ又は特別に定義された専用メッセージを含む。
【００４７】
ここで、修正されたＲａｎｇｉｎｇ＿ｔｉｍｅメッセージのフォーマットは以下の表１に示されている。
【００４８】
【表１】
2013500646.tif 000003
【００４９】
なお、表１について、指摘すべき点は、以下の通りである。
第１：バイト１が０ｘＦＦに設定される場合に、バイト４−７はＲＴＤΔの絶対値を含む。バイト１が０ｘＦＦに等しくない値に設定される場合に、バイト４−７はＥｑＤ値又はＲＴＤΔ値を含み、且つ値のプラスマイナスはバイト３における指示ビットａを用いて識別を行う。
第２：ＥｑＤ又はＲＴＤΔの単位はビットである。
第３：当該Ｒａｎｇｉｎｇ＿Ｔｉｍｅメッセージを用いて動作チャネルのＥｑＤ及び保護チャネルのＥｑＤ、又は保護スイッチングプロセスで適合されたＲＴＤΔをＯＮＵに割り当てる。また、表１における８〜１２バイトはＵｎｓｐｅｃｉｆｉｅｄであり、詳しく指定又は説明されない保留ビットを示す。
【００５０】
表１に示される修正されたＲａｎｇｉｎｇ＿ｔｉｍｅメッセージを用いた場合に、第１バイトが０ｘＦＦであるとき、当該メッセージはブロードキャストメッセージであり、一方で、第１バイトが０ｘＦＦに等しくないとき、当該メッセージはユニキャストメッセージである。第３バイトは指示ビットであり、第４〜７バイトは、指示ビットの指示に応じた具体的な指示コンテンツで満たされる。
【００５１】
特別に定義された専用メッセージを用いる場合、新たに定義されたＰＬＯＡＭメッセージを介して、ＲＴＤΔパラメーターをＯＮＵに伝送する。
【００５２】
つまり、本発明は、図２に示すネットワーク構成に限られず、ＯＬＴが同時に１つ以上の一次チャネル及び／又は１つ以上の二次チャネルを有することを含む。本発明に係るＯＮＵの測距結果を迅速に更新する方法は、一次チャネルから二次チャネルに切り換えることに用いられてもよいし、二次チャネルから一次チャネルに切り換えることに用いられてもよい。
【００５３】
従来技術において、保護モードがトリガされた場合に、すべてのＯＮＵはいずれも予備ＯＬＴに対応するチャネルに切り換える必要がある。各ＯＮＵはいずれも均等化遅延信号を更新する必要があり、アップリンクでの衝突が起こらないように、論理的に予備ＯＬＴと同じ距離に調整された後に、通常動作を引き続き行うことができる。予備ＯＬＴは、主に既存の標準において定義された測距プロセスに基づいて、即ち、ＯＮＵとＯＬＴとの間の往復遅延値に基づいて、各ＯＮＵに対応する均等化遅延信号を計算する。対応して、各ＯＮＵの一次チャネルと二次チャネルは、いずれも対応する往復遅延値、つまり、ＲＴＤprimary、ＲＴＤstandbyを有している。基幹光ファイバー保護のモードにおいて、ＲＴＤprimaryとＲＴＤstandbyとの間の差ＲＴＤΔは、各ＯＮＵに対して同じであり、この差ＲＴＤΔは、一次チャネル及び二次チャネルの基幹光ファイバーの長さの差、即ちＯＬＴから光学スプリッタまでの光ファイバーの長さの差に関係があり、一方で、分岐光ファイバーの長さ、即ち光学スプリッタからＯＮＵまでの光ファイバーの長さとは関係がない。また、ＲＴＤΔ＝ＲＴＤprimary−ＲＴＤstandbyである。従って、基幹光ファイバー保護モードにおいて、すべてのＯＮＵに対して、ＲＴＤΔは同じである。従来技術では、元々、ＯＬＴは、ＲＴＤΔに応じて、各ＯＮＵに対応する均等化遅延信号を計算し、そして、一対一の通信方式を用い、各ＯＮＵに対応する均等化遅延信号を対応するＯＮＵにそれぞれ伝送する必要がある。しかしながら、本発明において、すべてのＯＮＵに対して、ＲＴＤΔが同じであるため、一対全ての通信方式を用い、ＯＬＴからＲＴＤΔを統一的に取得し、そして各ＯＮＵが自身に対応する均等化遅延信号をそれぞれ計算することができる。計算公式を導き出す方法は以下に示されており、そしてＥｑｄstandby＝Ｅｑｄprimary＋ＲＴＤΔが導き出される。以下公式におけるＴｅｑｄはＯＬＴによって設定された固定値である。
【００５４】
Ｅｑｄstandby＝Ｔｅｑｄ−（ＲＴＤprimary−ＲＴＤΔ）
ＲＴＤprimary＝Ｔｅｑｄ−Ｅｑｄprimary
Ｅｑｄstandby＝Ｔｅｑｄ−（Ｔｅｑｄ−Ｅｑｄprimary−ＲＴＤΔ）＝Ｅｑｄprimary＋ＲＴＤΔ
【００５５】
なお、ＥｑｄprimaryはＯＮＵ保護スイッチングが行われる前にＯＮＵによって用いられたパラメーターであり、且つＯＮＵは、保護がトリガされて、二次チャネルに切り換えられた後、依然としてＯＮＵ中に保存されたこの値を取得することができる。ＲＴＤΔについて、基幹光ファイバー保護モードにおいて、すべてのＯＮＵに対して、ＲＴＤΔは同じである。これによって、ＯＬＴは、ＰＬＯＡＭメッセージを放送する形式で、元々ＯＬＴにおいて計算される、ＥｑＤに対応する各ＯＮＵのパラメーターＲＴＤΔを各ＯＮＵに伝送することができ、各ＯＮＵは、Ｅｑｄstandby＝Ｅｑｄprimary＋ＲＴＤΔに基づいて、各自に対応する予備チャネルのＥｑｄパラメーターを自ら計算することができる。
【００５６】
実施例１：保護スイッチングがトリガされた後、ＯＮＵが測距状態にある場合。本実例において、ＯＮＵが測距結果を迅速に更新することは、具体的に、以下のステップを含む。
【００５７】
ステップ２０１：  ＯＮＵがＯ４状態、即ち測距状態にある場合に、ＯＮＵは、予備ＯＬＴによって送信される対応する均等化遅延信号を待つ。
【００５８】
ステップ２０２：  予備ＯＬＴは、従来技術と同様の方法で、一次チャネルと二次チャネルとの基幹光ファイバーの長さの差に関連するＲＴＤΔを取得している。
【００５９】
ステップ２０３：ＯＬＴは、ブロードキャストメッセージの方式で、ＲＴＤΔを含む修正されたＲａｎｇｉｎｇ＿ｔｉｍｅメッセージをすべてのＯＮＵに３回送信する。
【００６０】
ステップ２０４：ＯＮＵは、受信されたＲａｎｇｉｎｇ＿ｔｉｍｅメッセージに含まれるＲＴＤΔ、及びＯＮＵによって元々使用されていた、一次チャネルに対応する均等化遅延信号に基づいて、Ｅｑｄstandby＝Ｅｑｄprimary＋ＲＴＤΔを用いて、二次チャネルに対応する均等化遅延信号を計算する。
【００６１】
ここで、一次チャネルに対応する均等化遅延信号は、以前にＯＮＵにおいてローカルに保存された、元々保護スイッチングが行われるよりも前に使用された均等化遅延信号である。測距結果の迅速な更新を実現するために、二次チャネルに対応する算出された均等化遅延信号を用いて、以前に保存された均等化遅延信号に対して更新を行う。測距結果の迅速な更新によって、サービス切り換えの時間的な要求を満たすことができ、そして保護スイッチングを迅速に完了することができる。
【００６２】
ステップ２０５：、測距結果の迅速な更新を行い、そして保護スイッチングを完了した後、ＯＮＵはО５状態、即ち通常動作状態に進む。
【００６３】
従来技術では、予備ＯＬＴ及びＯＮＵの二次チャネルの切り換えが行われるよりも前に、ＯＮＵの通常動作状態で二次チャネルの測距が行われ、ＲＴＤΔが取得される。従って、ＯＮＵが通常動作状態である場合に、修正されたＰＬＯＡＭメッセージを介して、関連パラメーターをＯＮＵに伝送することができ、二次チャネルに対するそのＥｑＤを計算することができる。
【００６４】
実施例２：ＯＮＵが通常動作状態にあり、このとき、保護スイッチングがまだトリガされていない場合、保護スイッチングを開始するときに、更新された均等化遅延信号を直接的に利用することができるように、ＲＴＤΔを放送する更新方式を用いて管理情報ベースを更新する。本実施例において、ＯＮＵの測距結果の迅速な更新は、具体的に、以下のステップを含む。
【００６５】
ステップ３０１：  ＯＮＵがО５状態、即ち通常動作状態にある場合に、予備ＯＬＴは、従来技術と同様の方法で、一次チャネル及び二次チャネルの基幹光ファイバーの長さの差に関連するＲＴＤΔを取得する。
【００６６】
ステップ３０２：  ＯＬＴは、ブロードキャストメッセージの方式で、ＲＴＤΔを含む修正後のＲａｎｇｉｎｇ＿ｔｉｍｅメッセージをすべてのＯＮＵに３回送信する。
【００６７】
ステップ３０３：  ＯＮＵは、受信されたＲａｎｇｉｎｇ＿ｔｉｍｅメッセージに含まれるＲＴＤΔ、及びＯＮＵによって元々使用されていた、一次チャネルに対応する均等化遅延信号に基づいて、Ｅｑｄstandby＝Ｅｑｄprimary＋ＲＴＤΔを用いて、二次チャネルに対応する均等化遅延信号を計算する。
【００６８】
ステップ３０４：  ＯＮＵは、管理情報ベースにおいて二次チャネルに対応する均等化遅延信号を更新し、保護スイッチングを開始した後、二次チャネルに対応する更新された均等化遅延信号の利用を開始する。
【００６９】
実施例３：ＯＮＵが通常動作状態にあり、このとき、保護スイッチングがまだトリガされていない場合、保護スイッチングを開始するときに、更新された均等化遅延信号を直接的に使用することができるように、ユニキャストＥｑＤの更新方式を用いて管理情報ベースを更新する。本実施例において、ＯＮＵの測距結果の迅速な更新は、具体的に、以下のステップを含む。
【００７０】
ステップ４０１：  ＯＮＵがＯ５状態、即ち通常動作状態にある場合に、予備ＯＬＴは、従来技術と同様の方法で、一次チャネル及び二次チャネルの基幹光ファイバーの長さの差に関連するＲＴＤΔを取得する。
【００７１】
ステップ４０２：  ＯＬＴは、二次チャネルに対応する各ＯＮＵの均等化遅延信号を計算し、ＯＬＴによって算出された各ＯＮＵに対応する均等化遅延信号を含む、修正されたＲａｎｇｉｎｇ＿ｔｉｍｅメッセージを、ユニキャストメッセージの方式で、対応する各ＯＮＵに３回送信する。
【００７２】
ステップ４０３：  ＯＮＵは、ユニキャストのＲａｎｇｉｎｇ＿ｔｉｍｅメッセージを受信し、Ｒａｎｇｉｎｇ＿ｔｉｍｅメッセージに含まれる、二次チャネルに対応する当該ＯＮＵの均等化遅延信号を解析する。
【００７３】
ステップ４０４：  ＯＮＵは、管理情報ベースにおいて二次チャネルに対応する均等化遅延信号を更新し、保護スイッチングを開始した後、二次チャネルに対応する更新された均等化遅延信号の利用を開始する。
【００７４】
ＯＬＴがＯＮＵの測距結果を迅速に更新するシステムであって、当該システムは、伝送ユニット及び更新ユニットを含む。ここで、伝送ユニットは、ＯＬＴが取得された測距差をすべてのＯＮＵに伝送することに用いられる。更新ユニットは、現在のＯＮＵが取得された測距差に応じて、現在のＯＮＵ自身の測距結果を迅速に更新することに用いられる。
【００７５】
ここで、伝送ユニットは、ＯＬＴが取得されたＲＴＤΔをすべてのＯＮＵに伝送することに更に用いられる。ここで、  ＲＴＤΔは、一次チャネルと二次チャネルとの間の往復遅延測距差である。
【００７６】
ＯＮＵがＲＴＤΔを取得するタイミングが異なっているため、伝送ユニット及び更新ユニットの具体的な構成も異なっており、以下、これについて、２種類の場合に分けて説明する。
【００７７】
ケース１：保護スイッチングがトリガされた後、ＯＮＵが測距状態にある場合。
【００７８】
伝送ユニットは、保護スイッチングがトリガされた後、ＯＮＵが測距状態にある場合に、ＯＬＴはブロードキャストメッセージの方式でＲＴＤΔをすべてのＯＮＵに伝送することに更に用いられる。
【００７９】
更新ユニットは、一次チャネルから二次チャネルに切り換える状態において、ＲＴＤΔと、一次チャネルに対応する、以前の均等化遅延信号とに応じて、二次チャネルに対応する現在の均等化遅延信号を取得し、且つ均等化遅延信号を更新することに更に用いられる。利用される公式は、Ｅｑｄstandby＝Ｅｑｄprimary＋ＲＴＤΔであってもよい。
【００８０】
又は、更新ユニットは、二次チャネルから一次チャネルに切り換える状態において、ＲＴＤΔと、二次チャネルに対応する、以前の均等化遅延信号とに応じて、一次チャネルに対応する現在の均等化遅延信号を取得し、且つ均等化遅延信号を更新することに更に用いられる。利用される公式は、Ｅｑｄprimary＝Ｅｑｄstandby＋ＲＴＤΔであってもよい。
【００８１】
ケース２：ＯＮＵが通常動作状態にある場合。
【００８２】
伝送ユニットは、ＯＮＵが通常動作状態にある場合に、ＯＬＴがブロードキャストメッセージの方式でＲＴＤΔをすべてのＯＮＵに伝送することに更に用いられる。
【００８３】
更新ユニットは、ＲＴＤΔと、一次チャネルに対応する、以前の均等化遅延信号とに応じて、二次チャネルに対応する現在の均等化遅延信号を予め取得して管理情報ベースを更新すること、及び、一次チャネルから二次チャネルに切り換える保護スイッチングがトリガされた後、更新された均等化遅延信号の利用を開始することに更に用いられる。利用される公式は、Ｅｑｄstandby＝Ｅｑｄprimary＋ＲＴＤΔであってもよい。
【００８４】
又は、更新ユニットは、ＲＴＤΔと、二次チャネルに対応する、以前の均等化遅延信号とに応じて、一次チャネルに対応する現在の均等化遅延信号を予め取得して管理情報ベースを更新すること、及び、二次チャネルから一次チャネルに切り換える保護スイッチングがトリガされた後、更新された均等化遅延信号の利用を開始することに更に用いられる。利用される公式はＥｑｄprimary＝Ｅｑｄstandby＋ＲＴＤΔであってもよい。
【００８５】
以上で説明した往復遅延値はＲｏｕｎｄ  Ｔｒｉｐ  Ｄｅｌａｙを示し、ＲＴＤと略す。均等化遅延信号はＥｑｕａｌｉzａｔｉｏｎ  Ｄｅｌａｙを示し、ＥｑＤと略す。
【００８６】
以上の説明は、本発明の好適な実施例に過ぎず、本発明の保護範囲を制限するものではない。
【図１】
2013500646.tif 000004
【図２】
2013500646.tif 000005
【図３】
2013500646.tif 000006
【国際調査報告】
2013500646.tif 000007
2013500646.tif 000008
2013500646.tif 000009
2013500646.tif 000010
2013500646.tif 000011
2013500646.tif 000012
2013500646.tif 000013